(57)【特許請求の範囲】
【請求項１】
ズボン本体と、肩にズボンを吊り下げるための２本のベルト（Ｂ）と、ズボンの腰開口部のベルト帯の表側及び裏側、又は上端におけるいずれかの左右両側に接続された、一対の胴回り方向に延びる離脱型スライドファスナー（Ａ）とを有するズボンにおいて、前記胴回り方向に延びる離脱型スライドファスナー（Ａ）は着用者の腹側に位置する箇所に接合部側（１）が設けられ、且つ、着用者の背側に位置する箇所にファスナーの閉じ止まり側（２）が配置されるように形成され、ベルト（Ｂ）の両端部を、各スライドファスナー（Ａ）の接合部側（１）と閉じ止まり側（２）とにそれぞれ接合し、さらに、前記接合部側（１）には接合部が離脱しないように、スライド器（Ｄ）を全開の位置に寄らないようにする事が可能なストッパーを設けたことを特徴とするズボン。
【発明の詳細な説明】
【技術分野】
【０００１】  この発明は、ズボン吊り用の離脱型スライドファスナーを装着したズボンに関する。
【背景の技術】
【０００２】  従来のズボン吊りの形状は（図５）示すように、肩から下げるベルト（Ｂ）の先の取付金具（９）等にてズボン（１０）の前後に取り付けてズボンとズボン吊りを一体化して使用する。
そして、ズボンを履く時はズボンにズボン吊りを取り付けてから、ズボンに足を入れてズボン吊りをかたに掛けて使用する事になる。
【特許文献１】特願２００２−３８２７７１
【発明の開示】
【発明が解決しようとする課題】
【０００３】以上の技術によれば、従来のズボン吊りは肩に掛けた上に上着を着ることが多い、その為、ズボンを脱ぐ履く時や、ズボンを下げて用足しする時などは、上着を脱いで肩よりズボン吊りを外して行う事になり、不便で手間が掛かる。
そこで、この発明は上着を着ていてもベルトの付いた離脱型スライドファスナーの上部側を肩に掛けていればズボンを簡便に脱ぎ、履き着用で出来、又，ベルトを肩から外さず、ベルト吊りからズボンを外すことなく尻を出し、用足し出来るズボンを提供することを課題とする【０００４】  子供や女性など特にズボンの胴体の細い人は使用する離脱型スライドファスナーの長さが短くなる、そして、離脱型スライドファスナーを開いた時にズボンの下がりが少ない、そこで、この発明は、それを補うための方法を提供することを課題とする。【０００５】離脱型スライドファスナーを全開した時に接合部がはずれ脱落する、そこで、この発明は、その防止策を提供することを課題とする。
【課題を解決するための手段】【０００６】
以上の課題を解決するために，本発明は、ズボン本体と、肩にズボンを吊り下げるための２本のベルト（Ｂ）と、ズボンの腰開口部のベルト帯の表側及び裏側、又は上端におけるいずれかの左右両側に接続された、一対の胴回り方向に延びる離脱型スライドファスナー（Ａ）とを有するズボンにおいて、前記胴回り方向に延びる離脱型スライドファスナー（Ａ）は着用者の腹側に位置する箇所に接合部側（１）が設けられ、且つ、着用者の背側に位置する箇所にファスナーの閉じ止まり側（２）が配置されるように形成され、ベルト（Ｂ）の両端部を、各スライドファスナー（Ａ）の接合部側（１）と閉じ止まり側（２）とにそれぞれ接合し、さらに、前記接合部側（１）には接合部が離脱しないように、スライド器（Ｄ）を全開の位置に寄らないようにする事が可能なストッパーを設けたことを特徴とするズボン。
【０００７】
【０００８】【０００７】  又、第二発明は、ズボンの胴体の細い人は離脱型スライドファスナーの長さが短くなる為、離脱型スライドファスナーを開いた時にズボンの下がりが少ない、それを補うためにズボンの前のファスナー（Ｃ）の先端部に（５）離脱型スライドファスナー（Ｆ）の接合部を取り付ける事で長い離脱型スライドファスナー（Ａ）を使用することが出来る、又、ズボン吊り前側のベルトの取り付け位置を離脱型スライドファスナー（Ｅ）の接合部より横腹の方へ位置（６）を変えることでズボンの下がりと離脱型スライドファスナーの開口部を大きくすることが出来る特徴を有する離脱型スライドファスナーの装着したズボン。【０００８】  又、第三発明は、離脱型スライドファスナー（Ａ）を全開した時に接合部が離脱するのでスライド器が全開しない様にスライド型ストッパーを接合部（図３）に設けた、脱落防止を特徴とする離脱型スライドファスナーを装着したズボン。
【発明の効果】
【０００９】本発明によれは、ズボン本体と、肩にズボンを吊り下げるための２本のベルト（Ｂ）と、ズボンの腰開口部のベルト帯の裏側、又は上端における左右両側に接続された、一対の胴回り方向に延びる離脱型スライドファスナー（Ａ）とを有するズボンにより、吊りベルトの上部を肩に吊れば上着を着ていても容易にズボンを脱着することが出来る。【００１０】  又  離脱型スライドファスナーの装着方法は、まず、肩に掛けるベルトの前側にはスライド器の付いた側の離脱型スライドファスナーの接合部側を取り付ける、そして背中の後ろ側のベルトに離脱型スライドファスナーの閉じ止まり側を取り付けることによりズボンには離脱型スライドファスナーのスライド器の無い方を装着するため利便性が良い。【００１１】  又、ズボンの離脱型スライドファスナーの取り付け場所は、ズボンの最上部に装着するのは利便性が良い、又、ズボンの表のベルト帯の下の縫い目に装着するのは離脱型スライドファスナーがズボンの最上部より高く成らずファスナーを装着していることを誇張するためである、それからズボンのベルト帯の裏側に装着するのは離脱型スライドファスナーを隠すことが出来きズボンにバンドをしていても従来のズボンと見分けが付かない利点がある【００１２】  そして、離脱型スライドファスナーの接合部をズボンの前側に、閉じ止めを後側にし、左右、二ヵ所に装着することによりズボンのファスナーを下げて離脱型スライドファスナーを背中から前に開けくだけで背面（８）の吊りベルトがずれ上がり、ズボンと共に前面（７）が下がりズボンの後方が大きく開いて、尻を出し用足しすることが出来る。【００１３】又、ズボンの胴体の細い人は離脱型スライドファスナーの長さが短い、その為、離脱型スライドファスナーを開いた時にズボンの下がりが少ない、それを補うためにズボンの前のファスナーの先端部から離脱型スライドファスナーの接合部を取り付ける事で長い離脱型スライドファスナーを使用することが出来る、又、ズボン吊り前側のベルトの取り付け位置を離脱型スライドファスナーの接合部より横腹の方へ位置を変えることでズボンの下がりと離脱型スライドファスナーの開口部を大きく開くことが出来、楽に尻を出し用足しする事ができる。【００１４】尚、離脱型スライドファスナーを全開した時に接合部が離脱するのでスライド器が全開しない様にスライド型ストッパーを接合部に設けた、脱落防止を特徴とする離脱型スライドファスナーを装着したズボン。
【発明の実施するための最良の形態】
【００１５】  この発明の一実施形態を、図１に示す。
ズボン本体と、肩にズボンを吊り下げるための２本のベルト（Ｂ）と、ズボンの腰開口部のベルト帯の表側及び裏側、又は上端におけるいずれかの左右両側に接続された、一対の胴回り方向に延びる離脱型スライドファスナー（Ａ）とを有するズボンであり、離脱型スライドファスナー（Ａ）の装着方法は、まず、肩に掛けるベルト（Ｂ）の前側にはスライド器の付いた片側の離脱型スライドファスナー（Ｅ）の接合部側（１）を取り付ける、そして背中の後ろ側のベルトに離脱型スライドファスナーの閉じ止まり側（２）を取り付ける、又、ズボンの離脱型スライドファスナー（Ｆ）の取り付け場所はズボンの最上部（図１）、及び、ズボンの表のベルト帯の下の縫い目（図４）、それからズボンのベルト帯の裏側の三ヵ所のいずれかの、そして、離脱型スライドファスナー（Ｆ）の接合部をズボンの前側（３）に、閉じ止めを後側（４）にし、左右、二ヵ所に装着することを特徴とするズボン吊り用の離脱型スライドファスナーを装着したズボン。
【００１６】  ズボンの胴体の細い人は離脱型スライドファスナーの長さが短い、その為、離脱型スライドファスナーを開いた時にズボンの下がりが少ない、それを補うためにズボンの前のファスナー（Ｃ）の先端部（５）に離脱型スライドファスナー（Ｆ）の接合部を取り付ける事で長い離脱型スライドファスナー（Ａ）を使用することが出来る、又．、ズボン吊り前側のベルトの取り付け位置を離脱型スライドファスナーの接合部（Ｅ）より横腹の方へ位置（６）を変えることでズボンの下がりと離脱型スライドファスナーの開口部大きくすることが出来る特徴を有する離脱型スライドファスナーの装着したズボン。
【００１７】  離脱型スライドファスナー（Ａ）を全開した時に接合部が離脱するのでスライド器が全開しない様にスライド型ストッパーを接合部（図３）に設けた、脱落防止を特徴とする離脱型スライドファスナーを装着したズボン。
【実施形態の効果】
【００１８】この実施形態によれば、吊りベルトの上部を肩に吊れば上着を着ていても容易にズボンを履くことが出来る、離脱型スライドファスナー付きのズボンを履き腹の前で離脱型スライドファスナーを接合させ、ファスナーのスライド器を背面にスライドさせて閉じるだけで簡便にズボンを着用することが出来る。
【００１９】  又、ズボンのファスナーを下げて前を開けて離脱型スライドファスナーのスライド器で腹の前まで開くだけで背面の吊りベルトがずれ上がり、ズボンと共に前面が下がりズボンの後方が更に大きくさがつて、尻を出し用足す事が出来る。
【００２０】離脱型スライドファスナーをズボンの最前部から取り付ける事により、子供や女性など特にズボンの胴体の細い人に使用する離脱型スライドファスナーは長い物が使用出来、又、吊りベルトの位置を前から腹の脇に移すことによりズボンの下がりが大きく出来、特に女性には使用出来ると考える。
【００２１】離脱型スライドファスナーの接合部は開いたときに外れやすい、そこで、吊りベルト側とズボンとをホック等で固定する事を考えたが吊りベルトの位置が変わると実用性に乏しい。
そこで確実に外れないようにスライドストツパーを付け、脱着以外はスライドストッパーを下げて、スライド器が全開の位置に寄らないようにした。
【他の実施形態】
【００２２】  図１の実施形態では、吊りベルトと離脱型スライドファスナーの付根の取り付け部分は直接つながつているが他の実施形態（図４）では、吊りベルトの先を離脱型スライドファスナーの取り付けに合った留金具（Ｈ）で接合することが出来る。
【００２３】  又、他の実施形態では、子供用ズボンの中には離脱型スライドファスナーでなく離脱しないスライドファスナーを使用した方が利便性がある。
【発明の効果】
【００２４】  以上説明したように、この発明によれ、ズボン吊り用の離脱型スライドファスナーを組み込んだズボンは上着を着ていても吊りベルト側上部を肩に付けていればズボンを簡便に着用、履き替え出来、又，尻を出して用足しが出来るズボンである。
紳士ズボンだけでなく子供の用足しには簡便で良く、又、婦人のパンタロンやズボンに装着すれば使用中にズボンが落ちる心配も無く快適である。
【図面の簡単な説明】
【００２５】
【図１】    この第一発明のー実施形態を示す斜視図
【図２】    この第二発明のー実施形態を示す斜視図
【図３】    この第三発明のスライドストッパーの実施形態を示すスライドストッパーの部分は表裏相対の斜視図
【図４】    この発明の実施形態を示す平面図
【図５】    背景の技術を示す斜視図
【符号の説明】
【００２６】Ａ      離脱型スライドファスナー
Ｂ      ベルト
Ｃ      ズボンのファスナー
Ｄ      スライド器
Ｅ      離脱型スライドファスナースライド器付きの片側
Ｆ      離脱型スライドファスナースライド器無しの片側
Ｇ      スライド型ストッパー
Ｈ      留金具
Ｊ      バンド通し
１      離脱型スライドファスナー（Ｅ）の接合部とベルトの接合位置
２      離脱型スライドファスナー（Ｅ）の閉じ止まりとベルトの接合位置
３      離脱型スライドファスナー（Ｆ）の接合部とズボンの前側の接合位置
４      離脱型スライドファスナー（Ｆ）の閉じ止まりとズボンの後側の接合位置
５      離脱型スライドファスナー（Ｆ）の接合部とズボンの前の先端の接合位置
６      離脱型スライドファスナー（Ｅ）の横腹位置とベルトの接合位置
７      ズボンの前面
８      ズボンの後面
９      取り付け金具
１０    ズボン
【要約】      （修正有） 【課題】上着を着ていてもベルトの付いた離脱型スライドファスナーの上部側を肩に掛けていればズボンを簡便に脱ぎ、履き、着用出来、又、ベルトを肩から外さず、ベルト吊りからズボンを外すことなく尻を出し、用足し出来るズボンを提供する。【解決手段】肩に掛ける吊りベルトＢとズボン１０とを離脱型スライドファスナーＡにより機能を二分する。吊りベルトの上部を肩に吊れば上着を着ていても容易にズボンを脱着出来る。  離脱型スライドファスナー付きのズボン履き、腹の前で離脱型スライドファスナーを接合させ、ファスナーのスライド器Ｄを背面にスライドさせて閉じるだけで簡便にズボンを着用することが出来る。又、ズボンのチャックを下げて前を開けて離脱型スライドファスナーのスライド器で腹の前まで開くだけで背面の吊りベルトがずれ上がり、ズボンと共に前面が下がりズボンの後方が更に大きくさがって、尻を出し用足す事が出来る。【選択図】図１【図１】
0003627221.tif 000002
【図２】
0003627221.tif 000003
【図３】
0003627221.tif 000004
【図４】
0003627221.tif 000005
【図５】
0003627221.tif 000006